(57)【要約】【課題】プロジェクタにおいて、スクリーンのみでなくプロジェクタ本体でも投射する映像を確認できる技術を提供する。【解決手段】プロジェクタ１０は、筐体の天面パネル部分に筐体表示部５８を備える。そして、プロジェクタ１０は、一般的な機能として、第１の表示系４０において筐体１２の前面に配置されたスクリーン用投光光学系回路４６の投光用レンズから所望の映像をスクリーンに向けて投光する。さらに、プロジェクタ１０は、天面パネル１３に設けられた筐体表示部５８にも映像を表示する第２の表示系５０を備える。【選択図】図２
2012078641.tif 000002
【特許請求の範囲】
【請求項１】
第１の表示素子を備え、映像を外部のスクリーンへ投射する第１の表示回路系と、
第２の表示素子を備え、筐体に設けられた表示手段へ、前記第１の表示回路系の映像と同じ映像を表示可能な第２の表示回路系と、
を備えることを特徴とするプロジェクタ。
【請求項２】
前記第１の表示素子は、ＤＭＤ素子であって、
前記ＤＭＤ素子で光変調を行う際に不要光とされる光を、前記第２の表示回路系の光源として導入する不要光利用手段と、
を備えることを特徴とする請求項１に記載のプロジェクタ。
【請求項３】
前記第２の表示素子は、ＤＭＤ素子であって、
前記不要光利用手段で導入された前記不要光を前記第２の表示素子で光変調して映像を前記筐体に設けられた前記表示手段に表示する
請求項２に記載のプロジェクタ。
【請求項４】
前記第２の表示素子は、投射用の液晶パネルであって、
前記不要光利用手段で導入された前記不要光を前記第２の表示素子で光変調して映像を前記筐体に設けられた前記表示手段に表示する
ことを特徴とする請求項２に記載のプロジェクタ。
【請求項５】
前記第２の表示素子は、バックライトを用いて表示するための液晶表示パネルであって、
前記不要光利用手段で導入された前記不要光を前記バックライトとして利用すること
を特徴とする請求項２に記載のプロジェクタ。
【請求項６】
前記第２の表示回路系に備わり、前記筐体に設けられた前記表示手段に映像を投射する光学系回路と、
前記第１の表示回路系と前記第２の表示回路系とのそれぞれに設けられた光源である高圧ランプと、
それら前記高圧ランプを共通に駆動制御するバラスト回路と、
を備えることを特徴とする請求項１に記載のプロジェクタ。
【請求項７】
前記第２の表示回路系に備わり、前記筐体に設けられた前記表示手段に映像を投射する光学系回路と、
前記第１の表示回路系と前記第２の表示回路系に共通に設けられた光源である高圧ランプと、
前記高圧ランプを共通に駆動制御するバラスト回路と、
前記高圧ランプの光を前記第１の表示回路系及び／又は前記第２の表示回路系に接続切替を行う光切替手段と、
を備えることを特徴とする請求項１に記載のプロジェクタ。
【発明の詳細な説明】
【技術分野】
【０００１】
本発明は、プロジェクタに係り、例えば、筐体に表示パネルを備えたプロジェクタに関するに関する。
【背景技術】
【０００２】
近年のプロジェクタでは、差別化のために、様々な機能が搭載されるようになっている。その様な機能の一つに、プロジェクタ本体に操作手段としてタッチパネルを設けた技術が開示されている（特許文献１参照）。特許文献１に開示のプロジェクタでは、外部モニタを設けることなく、かつスクリーン上の表示を隠すことなくタッチパネルに表示された設定画面上で設定操作を行うことが可能となっている。
【先行技術文献】
【特許文献】
【０００３】
【特許文献１】特開２００５−１７４９５号公報
【発明の概要】
【発明が解決しようとする課題】
【０００４】
ところで、特許文献１に開示の技術では、タッチパネルには設定用アイコンは表示されるが、実際に投射される映像は表示されないため、ユーザは、スクリーン上に表示しなければどのような映像が外部からプロジェクタに入力されているか確認することができないという課題があった。
【０００５】
本発明の目的は、上記課題に鑑み、プロジェクタにおいて、スクリーンのみでなくプロジェクタ本体でも投射する映像を確認できる技術を提供することにある。
【課題を解決するための手段】
【０００６】
本発明に係る装置は、プロジェクタに関する。このプロジェクタは、第１の表示素子を備え、映像を外部のスクリーンへ投射する第１の表示回路系と、第２の表示素子を備え、筐体に設けられた表示手段へ、前記第１の表示回路系の映像と同じ映像を表示可能な第２の表示回路系と、を備える。
また、前記第１の表示素子は、ＤＭＤ（Digital Micromirror Device）素子であって、前記ＤＭＤ素子で光変調を行う際に不要光とされる光を、前記第２の表示回路系の光源として導入する不要光利用手段と、を備えてもよい。
また、前記第２の表示素子は、ＤＭＤ素子であって、前記不要光利用手段で導入された前記不要光を前記第２の表示素子で光変調して映像を前記筐体に設けられた前記表示手段に表示してもよい。
また、前記第２の表示素子は、投射用の液晶パネルであって、前記不要光利用手段で導入された前記不要光を前記第２の表示素子で光変調して映像を前記筐体に設けられた前記表示手段に表示してもよい。
また、前記第２の表示素子は、バックライトを用いて表示するための液晶表示パネルであって、前記不要光利用手段で導入された前記不要光を前記バックライトとして利用してもよい。
また、前記第２の表示回路系に備わり、前記筐体に設けられた前記表示手段に映像を投射する光学系回路と、前記第１の表示回路系と前記第２の表示回路系とのそれぞれに設けられた光源である高圧ランプと、それら前記高圧ランプを共通に駆動制御するバラスト回路と、を備えてもよい。
また、前記第２の表示回路系に備わり、前記筐体に設けられた前記表示手段に映像を投射する光学系回路と、前記第１の表示回路系と前記第２の表示回路系に共通に設けられた光源である高圧ランプと、前記高圧ランプを共通に駆動制御するバラスト回路と、前記高圧ランプの光を前記第１の表示回路系及び／又は前記第２の表示回路系に接続切替を行う光切替手段と、を備えてもよい。
【発明の効果】
【０００７】
本発明によれば、プロジェクタにおいて、スクリーンのみでなくプロジェクタ本体でも投射する映像を確認できる技術を提供することができる。
【図面の簡単な説明】
【０００８】
【図１】本発明の第１の実施形態に係る、プロジェクタの外観を模式的に示す斜視図である。
【図２】本発明の第１の実施形態に係る、プロジェクタの概略構成を示す機能ブロック図である。
【図３】本発明の第２の実施形態に係る、プロジェクタの概略構成を示す機能ブロック図である。
【図４】本発明の第３の実施形態に係る、プロジェクタの概略構成を示す機能ブロック図である。
【図５】本発明の第４の実施形態に係る、プロジェクタの概略構成を示す機能ブロック図である。
【図６】本発明の第４の実施形態に係る、不要光利用部に着目した図を示す図である。
【図７】本発明の第５の実施形態に係る、プロジェクタの概略構成を示す機能ブロック図である。
【図８】本発明の第５の実施形態に係る、不要光利用部に着目した構成を示す図である。
【発明を実施するための形態】
【０００９】
次に、本発明を実施するための形態（以下、単に「実施形態」という）を、図面を参照して具体的に説明する。本実施形態の概要は次の通りである。筺体の天面パネルに映像の表示を可能にする。その手法は、天面パネルに投影したり、天面パネルを液晶などの表示パネルとし、映像表示を行う。このような構成のプロジェクタとすることで、例えば、結婚式場など、スクリーンには映像を投射はしたくないが映像は確認したいという状況の際に、投射前の段階で、映像確認ができる。また、投射映像だけでなく、ユーザが筐体の色や模様等のデザインを自由にアレンジすることができる。以下、詳細に説明する。
【００１０】
＜第１の実施形態＞
図１は、本実施形態に係るプロジェクタ１０の外観を模式的に示す斜視図である。また、図２はプロジェクタ１０の概略構成を示す機能ブロック図である。図１に示すように、プロジェクタ１０は、筐体１２の天面パネル１３部分に筐体表示部５８を備える。そして、プロジェクタ１０は、一般的な機能として、筐体１２の前面に配置された投光用レンズ４６ａから所望の映像をスクリーンに向けて投射する。さらに、本実施形態の特徴的な機能と一つとして、プロジェクタ１０は、天面パネル１３に設けられた筐体表示部５８にも映像を表示する。
【００１１】
図２に示すように、プロジェクタ１０は、映像制御回路２０と、バラスト回路３０と、第１の表示系４０と、第２の表示系５０とを備える。
【００１２】
映像制御回路２０は、映像エンジンや、ＯＳＤ（On Screen Display）エンジン、補正処理部等を備え、映像入力手段から取得した映像信号を所定の形式に変換したり、投射形状を調整したりして、第１の表示系４０及び第２の表示系５０に出力する。
【００１３】
バラスト回路３０は、後述するスクリーン用照射光学系回路４２や筐体用照射光学系回路５２に備わる高圧水銀ランプの発光駆動を制御する回路である。具体的には、バラスト回路３０は、電源回路１５からの電力を所定の電力に変換して、内部に備わるバラストマイコン、ランプパルス発生回路、コンパレータ、ＤＣ−ＤＣコンバータ制御回路等のモジュールが協働して、パルス印加制御手段として機能する。
【００１４】
第１の表示系４０は、スクリーンに所望の映像を投射するための一般的な回路である。具体的な構成については、第１の表示系４０は、スクリーン用照射光学系回路４２、スクリーン用映像表示素子４４、スクリーン用投光光学系回路４６とを備える。
【００１５】
スクリーン用照射光学系回路４２は、高圧ランプバルブ、ランプホルダ、反射鏡、及び照射用レンズ等を備えており、バラスト回路３０のパルス印加制御によってパルス発光し、スクリーン用映像表示素子４４に光を出力する。照射用レンズは、スクリーン用映像表示素子４４の光変調素子に応じて、平行光学系又は集光光学系が用いられる。
【００１６】
スクリーン用映像表示素子４４は、ＤＭＤチップやＬＣＤ（Liquid Crystal Display）パネル等の光変調手段であって、スクリーン用照射光学系回路４２の光を変調して映像信号に対応した映像を出力する。スクリーン用投光光学系回路４６は、図１に示した投光用レンズ４６ａ等を備え、スクリーン用映像表示素子４４で光変調されて出力された映像をスクリーンに投射する。
【００１７】
第２の表示系５０は、天面パネル１３に映像を表示するための表示系であって、筐体用照射光学系回路５２と、筐体用映像表示素子５４と、筐体用投光光学系回路５６と、筐体表示部５８とを備える。この構成によって、リアプロジェクションと同様の機能を実現する。
【００１８】
筐体用照射光学系回路５２は、スクリーン用照射光学系回路４２と同様の構成及び機能を有し、高圧ランプバルブ、ランプホルダ、反射鏡、及び照射用レンズ等を備えており、バラスト回路３０のパルス印加制御によってパルス発光し、筐体用映像表示素子５４に光を出力する。
【００１９】
筐体用映像表示素子５４は、ＤＭＤチップやＬＣＤパネル等の光変調手段である。筐体用投光光学系回路５６は、投光用レンズ等を備え、筐体用映像表示素子５４で変調された光を筐体表示部５８に投射する。
【００２０】
筐体表示部５８は、背面（筐体内部）から映像が投射されるスクリーンである。このスクリーンに、筐体用映像表示素子５４で変調された映像（光）が出力される。
【００２１】
以上の構成のプロジェクタ１０によると、外部に設けられたスクリーンに映像を投射することができるとともに、プロジェクタ１０の筐体１２（天面パネル１３）にも映像を表示させることができる。その結果、ユーザは、スクリーンを確認することなく、プロジェクタ１０の筐体表示部５８を確認することで、実際に表示されている映像を把握することができる。また、映像制御回路２０からの映像信号を、第１の表示系４０と第２の表示系５０とで異なるものとしてもよい。その場合、第２の表示系５０の映像信号をもとに、所望のデザインが表示されるように機能させてもよい。
【００２２】
＜第２の実施形態＞
図３に、本実施形態のプロジェクタ１１０の機能ブロック図を示す。本実施形態において、第１の実施形態のプロジェクタ１０と異なる点は、第２の表示系１５０が液晶表示パネル（筐体液晶表示部１５２）とした点にある。ここでは、異なる構成について主に説明し、同様の構成・機能については説明を省略する。
【００２３】
つまり、筐体液晶表示部１５２は、ＬＣＤパネル、バックライト、パネル駆動ドライバ等を備えている。そして、筐体液晶表示部１５２は、映像制御回路２０から出力された映像データを、ＬＣＤパネルに表示させる。
【００２４】
この構成によって、第１の実施形態と同様の効果が得られる。
【００２５】
＜第３の実施形態＞
図４に、本実施形態のプロジェクタ２１０の機能ブロック図を示す。第１の実施形態では、第１の表示系４０と第２の表示系５０とのそれぞれに照射光学系回路（４２、５２）を備えた。一方、本実施形態では、照射光学系回路２７０は一つのみであり、切替回路２８０によって光経路を切り換える。
【００２６】
具体的には、プロジェクタ２１０は、電源回路１５と、映像制御回路２０と、バラスト回路３０と、照射光学系回路２７０と、切替回路２８０と、第１の表示系２４０と、第２の表示系２５０とを備える。映像制御回路２０とバラスト回路３０は、第１の実施形態と同様の機能を実現する。照射光学系回路２７０は、第１の実施形態におけるスクリーン用照射光学系回路４２と筐体用照射光学系回路５２と同様の構成及び機能を有している。つまり、照射光学系回路２７０は、高圧ランプバルブ、ランプホルダ、反射鏡、及び照射用レンズ等を備えており、バラスト回路３０のパルス印加制御によってパルス発光し、切替回路２８０を介して第１の表示系２４０又は第２の表示系２５０へ光を出力する。つまり、切替回路２８０は、ユーザの操作指示等の応じて、光の接続経路を選択する。
【００２７】
第１の表示系２４０は、スクリーン用映像表示素子４４と、スクリーン用投光光学系回路４６とを備える。第２の表示系２５０は、筐体用映像表示素子５４と、筐体用投光光学系回路５６と、筐体表示部５８とを備える。ここでは、照射光学系回路２７０が第２の表示系２５０と共通のため、第１の実施形態のスクリーン用照射光学系回路４２と筐体用照射光学系回路５２とは不要である。
【００２８】
以上の構成のプロジェクタ２１０によると、プロジェクタ２１０の筐体１２の筐体表示部５８で投射すべき映像を確認できる。そして、切替回路２８０を切り換えることで、スクリーン又は筐体表示部５８への表示を切り換えることができる。この構成の場合、表示位置は、スクリーン又は筐体表示部５８のいずれかであるが、照射光学系回路２７０が共通のため、構成を簡素化することができる。
＜第４の実施形態＞
図５に、本実施形態のプロジェクタ３１０の機能ブロック図を示す。本実施形態では、スクリーンに映像を投射する第１の表示系３４０において不要となり利用されない光を第２の表示系３５０の光源として利用する。
【００２９】
具体的には、プロジェクタ３１０は、電源回路１５と、映像制御回路２０と、バラスト回路３０と、照射光学系回路３７０と、第１の表示系３４０と、第２の表示系３５０とを備える。照射光学系回路３７０は、第１の表示系３４０に光を供給する。
【００３０】
第１の表示系３４０は、スクリーン用映像表示素子４４と、スクリーン用投光光学系回路４６とを備える。スクリーン用映像表示素子４４は、光変調素子としてＤＭＤチップを備える。一般に、ＤＭＤチップは、マイクロミラーを所望の角度に傾斜させて、必要な光をスクリーン用投光光学系回路４６へ反射させて出力させ、不要な光を光吸収板等へ向けて反射させる。しかし、本実施形態では、不要な光として利用されていない光を、第２の表示系３５０において利用するものである。
【００３１】
第２の表示系３５０は、不要光利用部３５２と、筐体用映像表示素子５４と、筐体用投光光学系回路５６と、筐体表示部５８とを備える。筐体用映像表示素子５４と、筐体用投光光学系回路５６と、筐体表示部５８とは、第１の実施形態と同様の構成である。
【００３２】
図６に不要光利用部３５２に着目した図を示す。不要光利用部３５２は、従来の光吸収板の変わりに反射板３５２ａと、反射板３５２ａの光を平均化し所望の経路に調整するインテグレータ３５２ｂとを備える。インテグレータ３５２ｂの構成は、一般的な光学系の構成であって、筐体用映像表示素子５４がＤＭＤチップかＬＣＤパネルかに応じて適切な構成のもの（ＤＭＤチップ用の集光光又はＬＣＤパネル用の平行光を生成する構成）が選択される。
【００３３】
不要光利用部３５２のインテグレータ３５２ｂから出力した光は、筐体用映像表示素子５４で、映像制御回路２０から出力される映像信号に対応して光変調される。そして、光変調された光（映像）は、筐体用投光光学系回路５６によって筐体表示部５８に投射される。
【００３４】
以上、本実施形態によると、上述の実施形態と同様に、ユーザは、スクリーンに投射される映像を、筐体１２の筐体表示部５８で確認することができる。また、必要に応じて、スクリーンのみ又は筐体表示部５８のみで映像を確認できる。さらに、第２の表示系３５０の光源として、従来ではスクリーン用映像表示素子４４で不要光として吸収板に吸収された光を利用するため、別途光源を設けること必要がない。不要光は、必ずしも光源のクオリティとして高くない場合もあるが、ユーザの手元での確認用として使用するには十分である。
＜第５の実施形態＞
図７に、本実施形態のプロジェクタ４１０の機能ブロック図を示す。本実施形態は、ＤＭＤチップの不要光を、液晶表示パネルのバックライトとして利用するものである。
【００３５】
図示のように、プロジェクタ４１０は、電源回路１５と、映像制御回路２０と、バラスト回路３０と、照射光学系回路４７０と、第１の表示系４４０と、第２の表示系４５０とを備える。
【００３６】
第４の実施形態と異なる点は、第２の表示系４５０にある。第２の表示系４５０は、不要光利用部４５２と、筐体表示部４５８とを備える。筐体表示部４５８は、バックライト部４６１と液晶パネル部４６２とを備える。
【００３７】
図８に不要光利用部４５２に着目した構成を示す。不要光利用部４５２は、第４の実施形態と同様に、反射板４５２ａとインテグレータ４５２ｂとを備える。なお、インテグレータ４５２ｂは、出力される光がバックライト部４６１で利用するに適した特性の光を出力する構成のものが選択される。つまり、液晶パネル部４６２を光変調のために透過させる光は平行光であるので、インテグレータ４５２ｂから出力される光は、平行光となる。
【００３８】
バックライト部４６１は、インテグレータ４５２ｂから出力された光をバックライトとして機能させる。そのため、バックライト部４６１は、必要に応じて導光手段と、光拡散板等を備え、液晶パネル部４６２へ向けてバックライトとなる光を出力する。
【００３９】
液晶パネル部４６２は、ＬＣＤパネル及びその駆動ドライバ等を備えて構成され、映像制御回路２０から出力される映像信号をもとに液晶素子を駆動し、バックライト部４６１から出力される光を透過させ所望の映像を筐体表示部４５８に表示させる。
【００４０】
このようなプロジェクタ４１０によると、第４の実施形態と同様に、ユーザは、スクリーンに投射される映像を、筐体１２の筐体表示部４５８で確認することができる。また、必要に応じて、スクリーンのみ又は筐体表示部４５８のみで映像を確認できる。さらに、第２の表示系４５０の光源として、スクリーン用映像表示素子４４で不要光として従来吸収板に吸収された光をバックライト部４６１に利用するため、別途光源を設けること必要がない。
【００４１】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。
【符号の説明】
【００４２】
１０、１１０、２１０、３１０，４１０  プロジェクタ
１２  筐体
１３  天面パネル
１５  電源回路
２０  映像制御回路
３０  バラスト回路
４０、２４０、３４０、４４０  第１の表示系
４２  スクリーン用照射光学系回路
４４  スクリーン用映像表示素子
４６  スクリーン用投光光学系回路
５０、１５０、２５０、３５０、４５０  第２の表示系
５２  筐体用照射光学系回路
５４  筐体用映像表示素子
５６  筐体用投光光学系回路
５８、４５８  筐体表示部
１５２  筐体液晶表示部
２７０、３７０、４７０  照射光学系回路
２８０  切替回路
３５２、４５２  不要光利用部
４６１  バックライト部
４６２  液晶パネル部
【図１】
2012078641.tif 000003
【図２】
2012078641.tif 000004
【図３】
2012078641.tif 000005
【図４】
2012078641.tif 000006
【図５】
2012078641.tif 000007
【図６】
2012078641.tif 000008
【図７】
2012078641.tif 000009
【図８】
2012078641.tif 000010